(57)【要約】  本発明は、第１の部分（１）と、第２の部分（２）と、作動工具（３）とを備える装置に関する。第１の部分（１）には、基部（１１）と、作動工具（３）の係合のための開口または凹部（１３）を有する棒（１２）とが設けられている。第２の部分（２）には、第１の部分（１）の棒（１２）への搭載のための貫通開口部（２１）と、作動工具（３）を支持するための表面とが設けられている。工具（３）は、第１の部分（１）の棒（１２）に沿って第２の部分（２）を移動させる。工具（３）は、第１のアーム（３１）と、第２のアーム（３２）と、機構（４）とを備える。これらのアームは、中間シャフト（３３）上で蝶着され、第１の部分（１）および第２の部分（２）に作動するための端部（３１ａ、３２ａ）と、ハンドル（３１ｂ、３２ｂ）とをそれぞれ有する。機構（４）は、アーム（３１、３２）を位置決めしてそれらの相対回転移動を規制するためのものである。
2018507335.tif 000002
【特許請求の範囲】
【請求項１】
被覆部品の設置中にこれらの部品の同一平面配置に適用可能な、前記被覆部品を水平にするための装置であって、
基部（１１）と、作動工具（３）の係合のために少なくとも１つの穴または凹部（１３）を有する棒（１２）とが設けられた前記装置の第１の部分（１）と、
前記第１の部分（１）の前記棒（１２）への搭載に適しており、前記第１の部分（１）の前記基部（１１）に向けて移動可能な貫通開口部（２１）と、前記作動工具（３）を支持するための表面とが設けられた第２の部分（２）と、
前記第１の部分（１）および前記第２の部分（２）が隣接する少なくとも２つの被覆部品（Ｐ）の２つの対向面に圧力を加える動作可能な位置に向けて、前記第１の部分（１）の前記棒（１２）に沿って前記第２の部分（２）を移動させるための前記作動工具（３）とを備え、
前記作動工具（３１）は、中間シャフト（３３）上に可動な結合部を有し、前記第１の部分（１）および前記第２の部分（２）に作動するための端部（３１ａ、３２ａ）とハンドル（３１ｂ、３２ｂ）とをそれぞれ有する第１のアーム（３１）および第２のアーム（３２）と、異なる開口度を有する位置に前記工具の前記アーム（３１、３２）を位置決めするための、かつ、前記位置の各々において前記アーム（３１、３２）の相対回転移動を規制するための機構（４）とを備えることを特徴とする、装置。
【請求項２】
前記位置決め機構（４）は、前記工具の前記第１のアーム（３１）のピン（３４）が搭載され、それに沿って回転および移動が可能な縦長穴（４２）が設けられたセパレータ（４１）を備え、前記セパレータ（４１）は、第１の側面において、第２のアーム（３２）の固定歯（３５）との連結位置において異なる開口度を有する前記工具（３）のアーム（３１、３２）の相対位置を画定する凹部（４３）の配列を有し、前記位置決め機構（４）は、両端で前記第１のアーム（３１）および前記セパレータ（４１）に作動するばね（４４）をさらに備え、前記ばね（４４）は、前記凹部（４３）のうちのいずれか１つにおいて第２のアーム（３２）の前記固定歯（３５）で連結位置に前記セパレータ（４１）を維持し、前記ピン（３４）が前記工具の他方のアーム（３２）から最も離れた前記長穴（４２）の前記端部と接触することによって定められる非動作位置に前記工具（３）を維持しようとすることを特徴とする、請求項１に記載の装置。
【発明の詳細な説明】
【技術分野】
【０００１】
発明の目的
本発明の目的は、被覆部品を水平にするための装置であり、より具体的には、被覆部品の設置中におけるこれらの部品の同一平面配置に関する。上述の装置は、第１の部分と、第２の部分と、手動式作動工具とを備える。第１の部分には、基部と、作動工具の係合のための少なくとも１つの穴または凹部を有する棒とが設けられている。第２の部分には、第１の部分の棒への搭載に適した、第１の部分の基部に向けて移動可能な貫通開口部と、作動工具を支持するための表面とが設けられている。手動式作動工具は、第１の部分および第２の部分が少なくとも２つの隣接した被覆部品の２つの対向面に圧力を加える動作位置に向けて、第１の部分の棒に沿って第２の部分を移動させるためのものである。
【０００２】
本発明は、主に、レベリング装置の作動を著しく促進し、かつ容易にする作動工具に向けらている。
【０００３】
発明の応用分野
本発明は、セラミック部品を配置するための装置の製造に応用可能である。
【背景技術】
【０００４】
従来技術
実用新案出願Ｕ２０１４３０４１２では、本発明の同じ出願人の目的である、被覆部品を配置するためのレベリング装置が記載されている。本装置は、上部に棒が設けられた基部を有する第１の部分と、第１の部分の棒への搭載に適した、第１の部分の基部に向けて移動可能な貫通開口部が設けられた第２の部分と、第１の部分の棒に沿って第２の部分を移動させるための作動工具とを備える。
【０００５】
当該工具は、グリップハンドルと、第１の部分の棒の穴または凹部のうちの１つに導入されるように意図された少なくとも１つの前歯と、第２の部分の表面上で支持され、工具の作動によって第１の部分の基部に向けて第２の部分を押すための可変ピッチを有する少なくとも１つのカムとを備える。
【０００６】
この工具はその設計目的である作動機能を実現するが、本発明の所有者は、レベリング装置の作動工具を開発した。この作動工具は、作業者によるその作動、およびレベリング装置の第１の部分および第２の部分への応力の伝達を改善するように意図された特徴を有する。
【発明の概要】
【課題を解決するための手段】
【０００７】
発明の説明
本発明の目的である、被覆部品を水平にするための装置は、第１の請求項の「特徴とする」より前の部分に含まれており、基部と少なくとも１つの穴または凹部を有する棒とが設けられた第１の部分と、第１の部分の棒に搭載するための、該第１の部分の基部に向けて移動可能な貫通開口部が設けられた第２の部分とを備える。本装置は、引用された先行技術において説明された特徴を大幅に改良する作動工具を備えるという、特別な特徴を有している。
【０００８】
具体的に、この作動工具は、中間シャフトに蝶着され、第１の部分および第２の部分に作動するための端部とグリップハンドルとをそれぞれ有する第１のアーム、および第２のアームを備える。本作動工具は、異なる開口度を有する位置でアームを位置決めするための、かつ、該位置の各々において該アームの相対回転移動を規制するための位置決め機構をさらに備える。
【０００９】
これらの２つの工具アームは、ハンドルを握ってこれらを近接するように移動させたときに、装置の第１の部分および第２の部分の作動に責任を負う作動端部が間隔を置いて位置するように、中間シャフトの両側に配置されている。
【００１０】
本発明の一実施形態では、第１のアームは、装置の第１の部分の棒の穴または凹部に連結可能な作動端部上にフックを有している。一方、第２のアームの端部は第２の部分の上面で支持されるように意図された作動のためのアーム上にフォークを有しており、このフォークによって、装置の第１の部分の棒はそれ自体の内部を通過できる。
【００１１】
異なる開口度を有する工具アームの位置決め機構は、セパレータを備える。セパレータは、該アームに対して横方向に搭載され、工具の第１のアームのピンが搭載される縦長穴が設けられており、長穴に沿って回転および移動可能である。
【００１２】
該セパレータは、第１の側面に凹部の配列を有する。凹部は、第２のアームの固定歯との動作結合位置で、異なる開口度を有する工具アームの相対位置を定める。
【００１３】
これらの特徴によって、上述の位置決め機構は、上述のセパレータの凹部のうちの１つに第２のアームの固定歯を導入することによって、２つの工具アームをその開口度に対して異なる相対位置に置き、一時的にセパレータを工具の第２のアームに対して固定位置に維持する。
【００１４】
第２のアームの固定歯をセパレータの異なる凹部において連結することによって定められる位置のいずれかにおいて、第１のアームは第２のアームに対する相対回転移動を定めることができ、該回転移動の範囲は、上述のセパレータの長穴に沿った第１のアームのピンの移動によって定められる。
【００１５】
これらの特徴により、まず、水平にされるべき被覆部品の厚さに応じて、工具アームの端部が長いまたは短い距離だけ隔離して配置され、ユーザは、工具を容易に作動することができ、作動に制限があり、かつ、長さが工具アームの位置決めセパレータの長穴の長さ以下の場合でも、被覆部品を正確に位置決めし、かつ水平にすることができる。
【００１６】
本発明によると、位置決め機構は、両端で第１のアームおよびセパレータに作動するばねをさらに備える。このばねは、凹部のうちのいずれか１つと第２のアームの固定歯との連結位置にセパレータを維持し、ピンが工具の他方のアームから最も離れた長穴の端部と接触することによって定められる動作不能位置に工具を維持しようとする。
【００１７】
ここでなされる説明を補完し、本発明の特徴をより容易に理解するための手助けとして、本明細書には一連の図面が添えられているが、それらは例示であり、発明を限定するものではない。
【図面の簡単な説明】
【００１８】
【図１】本発明に係る被覆部品を水平にするための装置の立面図である。
【図２】図１の装置を、２つの被覆部品を水平にする前の、作動工具と装置の第１の部分および第２の部分に取り付けられた作動工具の端部とを縦断面図で示す図である。
【図３】作動工具が動作された後の２つの被覆部品を水平にする装置を示す、図２と同様の図である。
【図４】図３と同じ位置における、水平にするための装置の正面立面図である。
【図５】アームの位置決め機構の位置変更中の作動工具の縦断面図である。
【発明を実施するための形態】
【００１９】
発明の好ましい実施形態
図１では、装置の第１の部分（１）および第２の部分（２）が示されている。第１の部分（１）には、基部（１１）と、穴（１３）を有する棒（１２）とが設けられている。第２の部分（２）には、第１の部分の棒（１２）に搭載するための、基部（１１）に向けて移動可能な貫通開口部（２１）が設けられている。棒（１２）および貫通開口部（２１）は、第１の部分の棒（１２）に対する第２の部分（２）の後退および開放を阻止する補完保持手段（図示せず）を有する。
【００２０】
上述の図１では、中間シャフト（３３）上に可動な結合部のある第１のアーム（３１）および第２のアーム（３２）を備える作動工具（３）も示されている。
【００２１】
第１のアーム（３１）は、フックのような端部（３１ａ）およびハンドル（３１ｂ）を有し、この端部は、第１の部分（１）のセパレータ（１２）の窓（１３）への導入に適しており、かつ、第１の部分（１）を押すのに適している。また、工具（３）の第２のアーム（３２）は、第２の部分（２）の上面で支持されるように意図されたフォークのような端部（３２ａ）と、ハンドル（３２ｂ）とを備える。
【００２２】
図２および図３に示すように、第１の部分（１）の棒（１２）が表面に固定されるべき２つの被覆部品（Ｐ）間に配置され、作動工具の端部（３１ａ、３２ａ）が第１の部分（１）および第２の部分（２）に対して正確に位置決めされると、図３に示すようにハンドルを握って第２の部分（２）を第１の部分の棒（１２）に沿って確実に移動させるだけでよく、被覆部品（Ｐ）が水平になるように、被覆部品（Ｐ）が第１の部分の基部（１１）と第２の部分（２）との間で捕えられる。
【００２３】
工具は、異なる開口度でさまざまな位置で工具（３）のアーム（３１、３２）を位置決めし、かつ、それ自体が許可した位置のいずれかにアームが配置されると、該アームの相対回転移動を規制するための位置決め機構（４）を備える。
【００２４】
この機構（４）は、それを通じて第１のアーム（３１）のピン（３４）が搭載される縦長穴（４２）が設けられたセパレータを含む。該セパレータ（４１）は、第１の側面に凹部（３４）の配列を有する。これらの凹部（３４）は、工具（３）の第２のアーム（３２）において画定された固定歯（３５）を凹部（４３）のうちの１つに導入することによってアーム（３１、３２）が異なる開口度を有し得るように、固定歯（３５）を任意に収容するためのものである。
【００２５】
どの位置を選択するかは、設置される被覆部品（Ｐ）の厚さによって決まる。
これらの位置のうちの１つが選択されると、工具の第１のアーム（３１）は、長穴（４２）に沿ったピン（３４）の経路によって定められた空間において、第２のアーム（３２）に対して回転可能になる。この経路は、装置の第１の部分（１）および第２の部分（２）を作動させるために十分である。
【００２６】
アームを位置決めするための機構（４）は、両端で第１のアーム（３１）およびセパレータ（４１）に作動するばね（４４）を含む。このバネ（４４）は、図２に示す、ピン（３４）が他方のアーム（３２）から最も離れた長穴（４２）の端部と接触することによって定められる非動作位置に、工具（３）を維持しようとする。加えて、このばね（４４）は、セパレータ（４１）の凹部（４３）のうちのいずれか１つが第２のアーム（３２）の固定歯（３５）に連結されている図１、図２、および図３に示す動作位置に、セパレータ（４１）を維持しようとする。
【００２７】
また、上述のばね（４４）は、図５に示すように、セパレータ（４１）を固定歯（３５）から解放するために、かつ、工具のアーム（３１、３２）が大きなまたは小さな開口度で開くことができるようにセパレータ（４１）を手動で移動可能にしてばね（４４）の力に打ち勝つようにしており、セパレータ（４１）の凹部（４３）のうちの１つは、所望の開口度に基づいて固定歯（３５）と引き続き連結する。
【００２８】
好ましい実施形態例に加えて本発明の特徴について十分な説明を行なったが、以下で請求される発明の重要な特徴を変更することを示唆していないという条件で、関連した目的のために、説明された構成要素の材料、形状、サイズ、および配置を変更可能であるということが示されている。
【図１】
2018507335.tif 000003
【図２】
2018507335.tif 000004
【図３】
2018507335.tif 000005
【図４】
2018507335.tif 000006
【図５】
2018507335.tif 000007
【国際調査報告】
2018507335.tif 000008
2018507335.tif 000009
2018507335.tif 000010
2018507335.tif 000011
2018507335.tif 000012
2018507335.tif 000013
2018507335.tif 000014
2018507335.tif 000015